(57)【要約】【課題】多数の中での会話で、難聴者、高齢者に達する騒音を極力低減することができると共に、会話の聞き取りに安心感を与えることができ、かつ低コストで簡易に設置することができる会話用障壁体の衝立を提供することをその目的としている。【解決手段】調音材で構成された４面の障壁体パネルを連結して成り、展開状態で長方形に形成されると共に、折畳み可能に構成されている調音付き木製衝立具で、調音材で構成された４面の障壁体パネルを、人が椅子に座席した状態で、左右横面、背面、天井面の４か所であって、各面の調音材の設置面積を座高以上にして、左右横と背面での調音材の占める割合を５０〜７０％で、天井面での割合を８０〜１００％にしている。【選択図】図１
0003175142.tif 000002
【実用新案登録請求の範囲】
【請求項１】
調音材で構成された４面の木製障壁体パネルを連結して成り、展開状態で偽長方形に形成されると共に、折畳み可能に構成されていることを特徴とする調音付き木製衝立具。
【請求項２】
調音材で構成された４面の障壁体パネルは、人が椅子に座席した状態で、左横面、右横面、背面、天井面の４か所であって、左右横の面の寸法を横３００〜８００ｍｍ、高さ１３００〜２０００ｍｍ、背面の寸法を横７００〜９００ｍｍ、高さ１３００〜２０００ｍｍ、天井面の寸法を横７００〜９００ｍｍ、奥行２５０〜５００ｍｍであって、各面の調音材の設置面積を座高以上で下部から３５０〜５５０ｍｍ以上の高さにして、左右横と背面での調音材の占める面積割合を５０〜７０％で、天井面での割合を８０〜１００％にしていることを特徴とする請求項１に記載の調音付き木製衝立具。
【請求項３】
同一の形状および構造を有する左横面、右横面、背面、天井面の４枚の調音材から衝立形状で成り、背面を中心に前記他の一辺で、折り畳みできるように連結され、キャスター取り付けによって容易に移動を可能にしており、内部にてほぼ雑音中の会話を正確言語で聴取できるような移動収納型調音材付障壁体になっていることを特徴とする請求項１及び請求項２に記載の調音付き衝立具。
【請求項４】
調音材で構成された４面の障壁体は、骨格部分を木材部であって、左横面、右横面、背面、天井面の４か所に厚さ１５〜２５ｍｍの無機性、または繊維性の調音性能（遮音・吸音、消音）を有する障壁体パネル部材を貼り付けていることを特徴とする請求項１〜請求項３のいずれかに記載の調音付き木製衝立具。
【請求項５】
調音材で構成された４面の障壁体は、日本古来の屏風状に連結し、逆コの字状に２組の屏風を左右横部分と天井部より立て組み、中央部に於いて連結し、天板を取り付けて、左、右、前、上の四方を、障壁体パネルで囲い、身体部に対しては、頭部約１立平方Ｍ程度の音響遮断空間を形成することを特徴とする請求項１〜請求項４のいずれかに記載の調音付き木製衝立具。
【請求項６】
調音材で構成された４面の障壁体パネル骨格の材質は、杉材、又は檜材であって、鎮静リラックス効果のある杉又はヒノキの木香を十分に得られるように調音材以外のところを、前記材料の無垢の板材を張りつめていることを特徴とする請求項１〜請求項５のいずれかに記載の調音付き木製衝立具。
【考案の詳細な説明】
【技術分野】
【０００１】本考案は、室内に簡単に設置でき、屏風式付衝立内部にてほぼ雑音中の会話を正確言語で聴取できるようにして、鎮静リラックス効果を持たせて、又簡単に折り畳み、移動して収納できる調音衝立具に関するものである。
【背景技術】
【０００２】近頃、如何に現代人が難聴に悩んでいるかが理解される。その原因の大半は、その対応は外部よりの騒音その他の近隣騒音、家庭内に於けるＴＶ、その他の生活騒音に対するものが多く住宅の防音工事以外は個人の対応にまかせている為、外部騒音に対しては耳栓をするか、防御壁等の助けを借りる事となることが提案されている（特許文献１〜３参照）。【０００３】トイレ用としての衝立を提供するために、折畳み位置から展開する位置に相対回転可能に連結された一対の衝立本体、上部が下向きに開放するコ字状に設けられて中間横フレームを表裏に跨ぐように装着可能な保持部本体に設けられた保持部とにより構成されている（特許文献４参照）。
物品の囲いで、枠体が仮りに円管状部材で構成されても、その内側に、バックボードを、最小限の突出部をもって、簡単にかつ体裁よく固定しうるようにした衝立が提案されている（特許文献５参照）。【０００４】難聴者、老人においては、雑音の中の会話が難しくなっており、また病院、介護施設などで、重要な会話が聞き取れない場合がある。とくに医師先生などの治療説明で、周囲の雑音で十分に高齢者の患者が聞き取れないことがある。
近年、大都市の住宅事情では、交通騒音などにより、会話を妨害されることが多い。このような騒音に対する従来の対応策として、例えば一般的な衝立を設置することがあるが、十分に効果を果たしていないことが多い。
【先行技術文献】
【特許文献】
【０００５】
【特許文献１】特開平８−４１６号公報
【特許文献２】特開平９−９８８６７号公報
【特許文献３】実用新案登録第３０６４１６４号公報
【特許文献４】特開２００３−１１９９３６号公報
【特許文献５】特開２００４−８９４５２号公報
【考案の概要】
【考案が解決しようとする課題】
【０００６】一般環境は、従来、難聴者、あるいは高齢者を中心にして、雑音中で会話する場合には十分に聞き取れずに、会話障害になっている。また難聴者、老人においては、雑音の中の会話が難しくなっており、また病院、介護施設などで、重要な会話が聞き取れない場合がある。とくに医師先生などの治療説明で、周囲の雑音で十分に高齢者の患者が聞き取れないことがある。【０００７】従来の生活環境で本来の個性尊重を無視してなされていた為の結果であり、住宅の居住性と共に生活行動の環境は、難聴者個人スペースを基盤に発想しなければ解決されないと云う原則により創り出されることが必要である。
さらに、神経質な者にとっては、雑音環境の広さ、すなわち会話時の周囲の広さが不安感となり、聞き取り、会話を妨害されることがある。【０００８】このような問題点に鑑みてなされたものであり、難聴者、高齢者に達する騒音を極力低減することができると共に、会話の聞き取りに安心感を与えることができ、かつ低コストで簡易に設置することができる会話用障壁体を提供することをその目的としている。
【課題を解決するための手段】
【０００９】調音材で構成された４面の障壁体パネルを連結して成り、展開状態で長方形に形成されると共に、折畳み可能に構成されている調音付き木製衝立具である。【００１０】調音材で構成された４面の障壁体パネルは、人が椅子に座席した状態で、左右横面、背面、天井面の４か所であって、左右横の面の寸法を横３００〜８００ｍｍ、高さ１３００〜２０００ｍｍ、背面の寸法を横７００〜９００ｍｍ、高さ１３００〜２０００ｍｍ、天井面の寸法を横７００〜９００ｍｍ、奥行２５０〜５００ｍｍであって、各面の調音材の設置面積を座高以上で下部から３５０〜５５０ｍｍ以上の高さにして、左右横と背面での調音材の占める面積割合を５０〜７０％で、天井面での割合を８０〜１００％にしている。【００１１】同一の形状および構造を有する左横面、右横面、背面、天井面の４枚の調音材から衝立形状で成り、背面を中心に前記他の一辺で、折り畳みできるように連結され、キャスター取り付けによって容易に移動を可能にしており、内部にてほぼ雑音中の会話を正確言語で聴取できるような移動収納型調音材付障壁体になっている。【００１２】調音材で構成された４面の障壁体は、骨格部分を木材部であって、左横面、右横面、背面、天井面の４か所に厚さ１５〜２５ｍｍの無機性、または繊維性の調音性能（遮音・吸音、消音）を有する障壁体パネル部材を貼り付けている。【００１３】調音材で構成された４面の障壁体は、日本古来の屏風状に連結し、逆コの字状に２組の屏風を左右横部分と天井部より立て組み、中央部に於いて連結し、天板を取り付けて、会話者の１／３程度を、左、右、前、上の四方を、障壁パネルで囲い、身体部に対しては、頭部約１立平方Ｍ程度の音響遮断空間を形成する。【００１４】調音材で構成された４面の障壁体パネル骨格の材質は、杉材、又はヒノキ材であって、鎮静リラックス効果のある杉又はヒノキの木香を十分に得られるように調音材以外のところを、前記材料の無垢の板材を張りつめている。【００１５】本考案は前記の目的を達成するため、第一に遮音性能を有する屏風パネルの部材により、当事者の周囲（左右、上部、天井部）を箱状に囲む構造によるものであるが、従来より存在する防音室とは異なり、床を敷く時間と変わらぬ位短時間に組み立てられ、難聴者は、最後の密閉を中から操作することにより仕上げられ、又逆の順序により天板下部を中から押し上げ、上半身から楽に聞きとることが出来、会話終了後畳むと共に簡単に折り畳み収納できる。【００１６】長時間会話の場合とか、夏期の冷風対策の為に、側板屏風内に冷気防止ボックスを設置し、室内のエアコンによる冷却温度に近づけると共に、空気の鮮度を保つことが出来る。
【考案の効果】
【００１７】以上のように本発明の会話用障壁によれば、難聴者に達する騒音を極力低減することができると共に、難聴者の聞き取りに安心感を与えることができる。また、低コストで製造できると共に、邪魔になることなく簡易に設置することができる。【００１８】調音、防音材で構成された複数の障壁片を連結して構成されているため、椅子の囲い平面形状に合わせ、その当事者を囲うように折り曲げて設置することができ、かつ難聴者、高齢者に達する騒音を、十分に遮蔽することができる。しかも、難聴者、高齢者に直接接触することはなく、会話できて、精神的な安心感を与える。【００１９】また、展開状態で長方形に形成されると共に、折畳み可能に構成されているため、使用しないときには、展開した状態で壁などに立て掛けておくことができる一方、コンパクトに折り畳んでおくこともできる。調音材で構成された４面の障壁体パネル骨格の材質は、杉材、又はヒノキ材であって、鎮静リラックス効果のある杉又はヒノキの木香を十分に得られる。【００２０】同一の形状および構造を有する４枚の障壁体パネルで構成されているため、同一の障壁片パネルを折畳み可能に連結するだけで、簡単に製造することができる。また、障壁片パネルの４枚分の連結幅が、ほぼ会話空間の幅に相当するため、使用状態で、難聴者から適度な距離を隔て、その口元を囲うように設置することができると共に、使用しないときには、邪魔にならない適度の大きさに折り畳んでおくことができる。
【図面の簡単な説明】
【００２１】
【図１】調音付き木製衝立具の全体図
【図２】調音付き木製衝立具の組み立て図
【図３】調音付き木製衝立具の背面、左横面、右横面、天井面図
【図４】調音付き木製衝立具の使用時図
【図５】調音付き木製衝立具の使用の左右側面図
【図６】調音付き木製衝立具の折り畳み図  Ａ：手順状態  Ｂ：折り畳み状態
【考案を実施するための形態】
【００２２】図面に基づいて本考案の実施の形態を詳細に説明する。図１に組み立て装置図で、図２の部品図、図３にパーツ図であって、図４〜６は本考案の実施形態の平面と側面図と折り畳み図であるが、以下の順で形成される。
【００２３】側面基礎パネルを９０〜１３０度に開き屏風状として会話者に短辺を立てた。側面基礎パネルを９０〜１３０度に開きコ字の短辺を会話者に立て、木口の内部ではめ込み直線上に連結し、外側上下部に取り付けられた連結金具の受け金具に掛け、金具を引き掛けて連結固定した。
【００２４】形成された両側面の障壁体基礎パネルにより形成される逆さコの字の上部に接して置かれる。基礎障壁体パネルにより形成されたコの字の上面に天板と３つ折りパネルの側面パネルの上辺に乗せ突き出た天板と、側面パネルの外部に取り付けられた連結金具と天板の側面に取り付けられた受け金具に掛け連結金具位置、左右合計３箇所によりこの装置は固定し、また移動が容易になるようにキャスターを脚部に取り付けた。
【００２５】上部天板の４により、側面パネルと固定された、側面パネルが両側及び、３面と上面の約半分程度をおおっているが、天板パネルは水平板の上に折りたたんだ。
【実施例１】
【００２６】図１に示すように調音材で構成された４面の障壁体パネルは、人が椅子に座席した状態で、図２，３のように左横面、右横面、背面、天井面の４か所であって、障壁体パネルを製作した。図１〜図３に示すように、木材は２０ｍｍの幅３００ｍｍ、長さ１９００ｍｍの杉材を使用して、また調音材として、２０ｍｍの厚さの不織布の繊維材を使用した。【００２７】障壁体パネルであって左横、右横の面の寸法を横５００ｍｍ、高さ１８００ｍｍ、背面の寸法を横８００ｍｍ、高さ１８００ｍｍ、天井面の寸法を横７５０ｍｍ、奥行３００ｍｍであって、各面の調音材の設置面積を座高以上で下部から４５０ｍｍの高さにして、左右横と背面での調音材の占める面積割合を６０％で、天井面での割合を１００％にした調音付き木製衝立具を製作した。【００２８】図４、図５に示すようにこの調音付き木製衝立具を病院の診察時に高齢者の説明に使用したところ、難聴の高齢者が診断の結果を十分に理解された。減音率は３０ホン程度であった。また移動、折り畳みには図６のようにしてした。
【実施例２】
【００２９】実施例１と同様に、大きさとキャスター付きのものを製作した。調音材で構成された４面の障壁体パネルは、人が椅子に座席した状態で、左横面、右横面、背面、天井面の４か所であって、障壁体パネルを製作した。木材は２０ｍｍの幅３００ｍｍ、長さ２０００ｍｍの杉材を使用して、また調音材として、２０ｍｍの厚さの不織布の繊維材を使用した。【００３０】障壁体パネルであって左横、右横の面の寸法を横５００ｍｍ、高さ２０００ｍｍ、背面の寸法を横８００ｍｍ、高さ２０００ｍｍ、天井面の寸法を横７５０ｍｍ、奥行３００ｍｍであって、各面の調音材の設置面積を座高以上で下部から４５０ｍｍの高さにして、左右横と背面での調音材の占める面積割合を５０％で、天井面での割合を１００％にした調音付き木製衝立具を製作した。【００３１】また背面、左横面、右横面の各々の脚部に３０ｍｍφのキャスターを取り付けて、移動が簡単にできるようにした。このキャスター付き調音木製衝立具を病院の診察時に高齢者の説明に使用したところ、難聴の高齢者が診断の結果を十分に理解された。減音率は２０ホン程度であった。
【実施例３】
【００３２】実施例１と同様に、調音材料と寸法の変更したものを製作した。調音材で構成された４面の障壁体パネルは、人が椅子に座席した状態で、左横面、右横面、背面、天井面の４か所であって、障壁体パネルを製作した。【００３３】木材は２０ｍｍの幅３００ｍｍ、長さ１９００ｍｍの杉材を使用して、また調音材として、２０ｍｍの厚さの不織布の無機材を使用した。障壁体パネルであって左横、右横の面の寸法を横５００ｍｍ、高さ１８００ｍｍ、背面の寸法を横８００ｍｍ、高さ１８００ｍｍ、天井面の寸法を横７５０ｍｍ、奥行３００ｍｍであって、各面の調音材の設置面積を座高以上で下部から４５０ｍｍの高さにして、左右横と背面での調音材の占める面積割合を５０％で、天井面での割合を１００％にした調音付き木製衝立具を製作した。【００３４】この調音付き木製衝立具を病院の診察時に高齢者の説明に使用したところ、難聴の高齢者が診断の結果を十分に理解された。減音率は４０ホン程度であった。
【実施例４】
【００３５】実施例３と同様に、調音材料と寸法の変更したものを製作した。調音材で構成された４面の障壁体パネルは、人が椅子に座席した状態で、左横面、右横面、背面、天井面の４か所であって、障壁体パネルを製作した。【００３６】木材は２０ｍｍの幅３００ｍｍ、長さ１９００ｍｍの杉材を使用して、また調音材として、２０ｍｍの厚さの不織布の無機材を使用した。障壁体パネルであって左横、右横の面の寸法を横５００ｍｍ、高さ１８００ｍｍ、背面の寸法を横８００ｍｍ、高さ１８００ｍｍ、天井面の寸法を横７５０ｍｍ、奥行３００ｍｍであって、各面の調音材の設置面積を座高以上で下部から４５０ｍｍの高さにして、左右横と背面での調音材の占める面積割合を６０％で、天井面での割合を１００％にした調音付き木製衝立具で、左横面、右横面、背面の各脚部に５０ｍｍφの車付きキャスターを２個づつ取り付けて製作した。【００３７】この調音付き木製衝立具を病院の診察時に部屋の隅から移動させて、高齢者の説明に使用したところ、難聴の高齢者が診断の結果を十分に理解された。また終了時には図６のように折り畳み、部屋の隅に移動させた。
【実施例５】
【００３８】実施例３と同様に、木材の材料を変更したものを製作した。調音材で構成された４面の障壁体パネルは、人が椅子に座席した状態で、左横面、右横面、背面、天井面の４か所であって、障壁体パネルを製作した。【００３９】木材は２０ｍｍの幅３００ｍｍ、長さ１９００ｍｍの檜材を使用して、また調音材として、２０ｍｍの厚さの不織布の無機材を使用した。障壁体パネルであって左横、右横の面の寸法を横５００ｍｍ、高さ１８００ｍｍ、背面の寸法を横８００ｍｍ、高さ１８００ｍｍ、天井面の寸法を横７５０ｍｍ、奥行３００ｍｍであって、各面の調音材の設置面積を座高以上で下部から４００ｍｍの高さにして、左右横と背面での調音材の占める面積割合を６０％で、天井面での割合を８０％にした調音付き木製衝立具を製作した。この調音付き木製衝立具を病院の診察時に高齢者の説明に使用したところ、難聴の高齢者が診断の結果を十分に理解された。減音率は４０ホン程度であった。
【符号の説明】
【００４０】１．調音材
２．障壁体パネル
３．折り畳み
４．キャスター
５．側板
６．左横面、
７．右横面
８．背面
９．天井面
１０．枠板
１１．蝶番
１２．木板
１３．椅子
【図１】
0003175142.tif 000003
【図２】
0003175142.tif 000004
【図３】
0003175142.tif 000005
【図４】
0003175142.tif 000006
【図５】
0003175142.tif 000007
【図６】
0003175142.tif 000008
【手続補正書】
【提出日】平成23年12月28日(2011.12.28)
【手続補正１】
【補正対象書類名】実用新案登録請求の範囲
【補正対象項目名】全文
【補正方法】変更
【補正の内容】
【実用新案登録請求の範囲】
【請求項１】
調音材で構成された４面の木製障壁体パネルを連結して成り、展開状態で擬長方形体に形成されると共に、折畳み可能に構成されていることを特徴とする調音機能付き木製衝立具。
【請求項２】
調音材で構成された４面の障壁体パネルは、人が椅子に座席した状態で、左横面、右横面、背面、天井面の４か所であって、左右横の面の寸法を横３００〜８００ｍｍ、高さ１３００〜２０００ｍｍ、背面の寸法を横７００〜９００ｍｍ、高さ１３００〜２０００ｍｍ、天井面の寸法を横７００〜９００ｍｍ、奥行２５０〜５００ｍｍで、各面の調音材の設置面積を座高以上で下部から３５０〜５５０ｍｍ以上の高さにして、左右横と背面での調音材の占める面積割合を５０〜７０％で、天井面での割合を８０〜１００％にしていることを特徴とする請求項１に記載の調音機能付き木製衝立具。
【請求項３】
同一の形状および構造を有する左横面、右横面、背面、天井面の４枚の調音材から衝立形状で成り、背面を中心に左横面、右横面、天井面の一辺で、折り畳みできるように連結され、キャスター取り付けによって容易に移動を可能にしており、内部にてほぼ雑音中の会話を正確言語で聴取できるような移動収納型調音材付障壁体になっていることを特徴とする請求項１又は請求項２に記載の調音機能付き木製衝立具。
【請求項４】
調音材で構成された４面の障壁体は、骨格部分を木材部であって、左横面、右横面、背面、天井面の４か所に厚さ１５〜２５ｍｍの無機性、または繊維性の調音性能（遮音・吸音、消音）を有する障壁体パネル部材を貼り付けていることを特徴とする請求項１〜請求項３のいずれかに記載の調音機能付き木製衝立具。
【請求項５】
調音材で構成された４面の障壁体は、日本古来の屏風状に連結し、逆コの字状に２組の屏風を左右横部分と天井部より立て組み、中央部に於いて連結し、天板を取り付けて、左、右、前、上の四方を、障壁体パネルで囲い、身体部に対しては、頭部約１立平方Ｍ程度の音響遮断空間を形成することを特徴とする請求項１〜請求項４のいずれかに記載の調音機能付き木製衝立具。
【請求項６】
調音材で構成された４面の障壁体パネル骨格の材質は、杉材、又は檜材であって、鎮静リラックス効果のある杉又はヒノキの木香を十分に得られるように調音材以外のところを、前記材料の無垢の板材を張りつめていることを特徴とする請求項１〜請求項５のいずれかに記載の調音機能付き木製衝立具。
【手続補正２】
【補正対象書類名】明細書
【補正対象項目名】全文
【補正方法】変更
【補正の内容】
【考案の詳細な説明】
【技術分野】
【０００１】本考案は、室内に簡単に設置でき、屏風式付衝立内部にてほぼ雑音中の会話を正確言語で聴取できるようにして、鎮静リラックス効果を持たせて、又簡単に折り畳み、移動して収納できる調音衝立具に関するものである。
【背景技術】
【０００２】近頃、如何に現代人が難聴に悩んでいるかが理解される。その原因の大半は、その対応は外部よりの騒音その他の近隣騒音、家庭内に於けるＴＶ、その他の生活騒音に対するものが多く住宅の防音工事以外は個人の対応にまかせている為、外部騒音に対しては耳栓をするか、防御壁等の助けを借りる事となることが提案されている（特許文献１〜３参照）。【０００３】トイレ用としての衝立を提供するために、折畳み位置から展開する位置に相対回転可能に連結された一対の衝立本体、上部が下向きに開放するコ字状に設けられて中間横フレームを表裏に跨ぐように装着可能な保持部本体に設けられた保持部とにより構成されている（特許文献４参照）。
物品の囲いで、枠体が仮りに円管状部材で構成されても、その内側に、バックボードを、最小限の突出部をもって、簡単にかつ体裁よく固定しうるようにした衝立が提案されている（特許文献５参照）。【０００４】難聴者、老人においては、雑音の中の会話が難しくなっており、また病院、介護施設などで、重要な会話が聞き取れない場合がある。とくに医師先生などの治療説明で、周囲の雑音で十分に高齢者の患者が聞き取れないことがある。
近年、大都市の住宅事情では、交通騒音などにより、会話を妨害されることが多い。このような騒音に対する従来の対応策として、例えば一般的な衝立を設置することがあるが、十分に効果を果たしていないことが多い。
【先行技術文献】
【特許文献】
【０００５】
【特許文献１】特開平８−４１６号公報
【特許文献２】特開平９−９８８６７号公報
【特許文献３】実用新案登録第３０６４１６４号公報
【特許文献４】特開２００３−１１９９３６号公報
【特許文献５】特開２００４−８９４５２号公報
【考案の概要】
【考案が解決しようとする課題】
【０００６】一般環境は、従来、難聴者、あるいは高齢者を中心にして、雑音中で会話する場合には十分に聞き取れずに、会話障害になっている。また難聴者、老人においては、雑音の中の会話が難しくなっており、また病院、介護施設などで、重要な会話が聞き取れない場合がある。とくに医師先生などの治療説明で、周囲の雑音で十分に高齢者の患者が聞き取れないことがある。【０００７】従来の生活環境で本来の個性尊重を無視してなされていた為の結果であり、住宅の居住性と共に生活行動の環境は、難聴者個人スペースを基盤に発想しなければ解決されないと云う原則により創り出されることが必要である。
さらに、神経質な者にとっては、雑音環境の広さ、すなわち会話時の周囲の広さが不安感となり、聞き取り、会話を妨害されることがある。【０００８】このような問題点に鑑みてなされたものであり、難聴者、高齢者に達する騒音を極力低減することができると共に、会話の聞き取りに安心感を与えることができ、かつ低コストで簡易に設置することができる会話用障壁体を提供することをその目的としている。
【課題を解決するための手段】
【０００９】調音材で構成された４面の障壁体パネルを連結して成り、展開状態で長方形に形成されると共に、折畳み可能に構成されている調音機能付き木製衝立具である。【００１０】調音材で構成された４面の障壁体パネルは、人が椅子に座席した状態で、左右横面、背面、天井面の４か所であって、左右横の面の寸法を横３００〜８００ｍｍ、高さ１３００〜２０００ｍｍ、背面の寸法を横７００〜９００ｍｍ、高さ１３００〜２０００ｍｍ、天井面の寸法を横７００〜９００ｍｍ、奥行２５０〜５００ｍｍであって、各面の調音材の設置面積を座高以上で下部から３５０〜５５０ｍｍ以上の高さにして、左右横と背面での調音材の占める面積割合を５０〜７０％で、天井面での割合を８０〜１００％にしている。【００１１】同一の形状および構造を有する左横面、右横面、背面、天井面の４枚の調音材から衝立形状で成り、背面を中心に左横面、右横面、天井面の一辺で、折り畳みできるように連結され、キャスター取り付けによって容易に移動を可能にしており、内部にてほぼ雑音中の会話を正確言語で聴取できるような移動収納型調音材付障壁体になっている。【００１２】調音材で構成された４面の障壁体は、骨格部分を木材部であって、左横面、右横面、背面、天井面の４か所に厚さ１５〜２５ｍｍの無機性、または繊維性の調音性能（遮音・吸音、消音）を有する障壁体パネル部材を貼り付けている。【００１３】調音材で構成された４面の障壁体は、日本古来の屏風状に連結し、逆コの字状に２組の屏風を左右横部分と天井部より立て組み、中央部に於いて連結し、天板を取り付けて、会話者の１／３程度を、左、右、前、上の四方を、障壁パネルで囲い、身体部に対しては、頭部約１立平方Ｍ程度の音響遮断空間を形成する。【００１４】調音材で構成された４面の障壁体パネル骨格の材質は、杉材、又はヒノキ材であって、鎮静リラックス効果のある杉又はヒノキの木香を十分に得られるように調音材以外のところを、前記材料の無垢の板材を張りつめている。【００１５】本考案は前記の目的を達成するため、第一に遮音性能を有する屏風パネルの部材により、当事者の周囲（左右、上部、天井部）を箱状に囲む構造によるものであるが、従来より存在する防音室とは異なり、床を敷く時間と変わらぬ位短時間に組み立てられ、難聴者は、最後の密閉を中から操作することにより仕上げられ、又逆の順序により天板下部を中から押し上げ、上半身から楽に聞きとることが出来、会話終了後畳むと共に簡単に折り畳み収納できる。【００１６】長時間会話の場合とか、夏期の冷風対策の為に、側板屏風内に冷気防止ボックスを設置し、室内のエアコンによる冷却温度に近づけると共に、空気の鮮度を保つことが出来る。
【考案の効果】
【００１７】以上のように本発明の会話用障壁によれば、難聴者に達する騒音を極力低減することができると共に、難聴者の聞き取りに安心感を与えることができる。また、低コストで製造できると共に、邪魔になることなく簡易に設置することができる。【００１８】調音、防音材で構成された複数の障壁片を連結して構成されているため、椅子の囲い平面形状に合わせ、その当事者を囲うように折り曲げて設置することができ、かつ難聴者、高齢者に達する騒音を、十分に遮蔽することができる。しかも、難聴者、高齢者に直接接触することはなく、会話できて、精神的な安心感を与える。【００１９】また、展開状態で長方形に形成されると共に、折畳み可能に構成されているため、使用しないときには、展開した状態で壁などに立て掛けておくことができる一方、コンパクトに折り畳んでおくこともできる。調音材で構成された４面の障壁体パネル骨格の材質は、杉材、又はヒノキ材であって、鎮静リラックス効果のある杉又はヒノキの木香を十分に得られる。【００２０】同一の形状および構造を有する４枚の障壁体パネルで構成されているため、同一の障壁片パネルを折畳み可能に連結するだけで、簡単に製造することができる。また、障壁片パネルの４枚分の連結幅が、ほぼ会話空間の幅に相当するため、使用状態で、難聴者から適度な距離を隔て、その口元を囲うように設置することができると共に、使用しないときには、邪魔にならない適度の大きさに折り畳んでおくことができる。
【図面の簡単な説明】
【００２１】
【図１】調音機能付き木製衝立具の全体図
【図２】調音機能付き木製衝立具の組み立て図
【図３】調音機能付き木製衝立具の背面、左横面、右横面、天井面図
【図４】調音機能付き木製衝立具の使用時図
【図５】調音機能付き木製衝立具の使用の左右側面図
【図６】調音機能付き木製衝立具の折り畳み図  Ａ：手順状態  Ｂ：折り畳み状態
【考案を実施するための形態】
【００２２】図面に基づいて本考案の実施の形態を詳細に説明する。図１に組み立て装置図で、図２の部品図、図３にパーツ図であって、図４〜６は本考案の実施形態の平面と側面図と折り畳み図であるが、以下の順で形成される。
【００２３】側面基礎パネルを９０〜１３０度に開き屏風状として会話者に短辺を立てた。
側面基礎パネルを９０〜１３０度に開きコ字の短辺を会話者に立て、木口の内部ではめ込み直線上に連結し、外側上下部に取り付けられた連結金具の受け金具に掛け、金具を引き掛けて連結固定した。
【００２４】形成された両側面の障壁体基礎パネルにより形成される逆さコの字の上部に接して置かれる。基礎障壁体パネルにより形成されたコの字の上面に天板と３つ折りパネルの側面パネルの上辺に乗せ突き出た天板と、側面パネルの外部に取り付けられた連結金具と天板の側面に取り付けられた受け金具に掛け連結金具位置、左右合計３箇所によりこの装置は固定し、また移動が容易になるようにキャスターを脚部に取り付けた。
【００２５】上部天板の４により、側面パネルと固定された、側面パネルが両側及び、３面と上面の約半分程度をおおっているが、天板パネルは水平板の上に折りたたんだ。
【実施例１】
【００２６】図１に示すように調音材で構成された４面の障壁体パネルは、人が椅子に座席した状態で、図２，３のように左横面、右横面、背面、天井面の４か所であって、障壁体パネルを製作した。図１〜図３に示すように、木材は２０ｍｍの幅３００ｍｍ、長さ１９００ｍｍの杉材を使用して、また調音材として、２０ｍｍの厚さの不織布の繊維材を使用した。【００２７】障壁体パネルであって左横、右横の面の寸法を横５００ｍｍ、高さ１８００ｍｍ、背面の寸法を横８００ｍｍ、高さ１８００ｍｍ、天井面の寸法を横７５０ｍｍ、奥行３００ｍｍであって、各面の調音材の設置面積を座高以上で下部から４５０ｍｍの高さにして、左右横と背面での調音材の占める面積割合を６０％で、天井面での割合を１００％にした調音機能付き木製衝立具を製作した。【００２８】図４、図５に示すようにこの調音機能付き木製衝立具を病院の診察時に高齢者の説明に使用したところ、難聴の高齢者が診断の結果を十分に理解された。減音率は３０ホン程度であった。また移動、折り畳みには図６のようにしてした。
【実施例２】
【００２９】実施例１と同様に、大きさとキャスター付きのものを製作した。調音材で構成された４面の障壁体パネルは、人が椅子に座席した状態で、左横面、右横面、背面、天井面の４か所であって、障壁体パネルを製作した。木材は２０ｍｍの幅３００ｍｍ、長さ２０００ｍｍの杉材を使用して、また調音材として、２０ｍｍの厚さの不織布の繊維材を使用した。【００３０】障壁体パネルであって左横、右横の面の寸法を横５００ｍｍ、高さ２０００ｍｍ、背面の寸法を横８００ｍｍ、高さ２０００ｍｍ、天井面の寸法を横７５０ｍｍ、奥行３００ｍｍであって、各面の調音材の設置面積を座高以上で下部から４５０ｍｍの高さにして、左右横と背面での調音材の占める面積割合を５０％で、天井面での割合を１００％にした調音機能付き木製衝立具を製作した。【００３１】また背面、左横面、右横面の各々の脚部に３０ｍｍφのキャスターを取り付けて、移動が簡単にできるようにした。このキャスター付き調音機能付き木製衝立具を病院の診察時に高齢者の説明に使用したところ、難聴の高齢者が診断の結果を十分に理解された。減音率は２０ホン程度であった。
【実施例３】
【００３２】実施例１と同様に、調音材料と寸法の変更したものを製作した。調音材で構成された４面の障壁体パネルは、人が椅子に座席した状態で、左横面、右横面、背面、天井面の４か所であって、障壁体パネルを製作した。【００３３】木材は２０ｍｍの幅３００ｍｍ、長さ１９００ｍｍの杉材を使用して、また調音材として、２０ｍｍの厚さの不織布の無機材を使用した。障壁体パネルであって左横、右横の面の寸法を横５００ｍｍ、高さ１８００ｍｍ、背面の寸法を横８００ｍｍ、高さ１８００ｍｍ、天井面の寸法を横７５０ｍｍ、奥行３００ｍｍであって、各面の調音材の設置面積を座高以上で下部から４５０ｍｍの高さにして、左右横と背面での調音材の占める面積割合を５０％で、天井面での割合を１００％にした調音機能付き木製衝立具を製作した。【００３４】この調音付き木製衝立具を病院の診察時に高齢者の説明に使用したところ、難聴の高齢者が診断の結果を十分に理解された。減音率は４０ホン程度であった。
【実施例４】
【００３５】実施例３と同様に、調音材料と寸法の変更したものを製作した。調音材で構成された４面の障壁体パネルは、人が椅子に座席した状態で、左横面、右横面、背面、天井面の４か所であって、障壁体パネルを製作した。【００３６】木材は２０ｍｍの幅３００ｍｍ、長さ１９００ｍｍの杉材を使用して、また調音材として、２０ｍｍの厚さの不織布の無機材を使用した。障壁体パネルであって左横、右横の面の寸法を横５００ｍｍ、高さ１８００ｍｍ、背面の寸法を横８００ｍｍ、高さ１８００ｍｍ、天井面の寸法を横７５０ｍｍ、奥行３００ｍｍであって、各面の調音材の設置面積を座高以上で下部から４５０ｍｍの高さにして、左右横と背面での調音材の占める面積割合を６０％で、天井面での割合を１００％にした調音機能付き木製衝立具で、左横面、右横面、背面の各脚部に５０ｍｍφの車付きキャスターを２個づつ取り付けて製作した。【００３７】この調音機能付き木製衝立具を病院の診察時に部屋の隅から移動させて、高齢者の説明に使用したところ、難聴の高齢者が診断の結果を十分に理解された。
また終了時には図６のように折り畳み、部屋の隅に移動させた。
【実施例５】
【００３８】実施例３と同様に、木材の材料を変更したものを製作した。調音材で構成された４面の障壁体パネルは、人が椅子に座席した状態で、左横面、右横面、背面、天井面の４か所であって、障壁体パネルを製作した。【００３９】木材は２０ｍｍの幅３００ｍｍ、長さ１９００ｍｍの檜材を使用して、また調音材として、２０ｍｍの厚さの不織布の無機材を使用した。障壁体パネルであって左横、右横の面の寸法を横５００ｍｍ、高さ１８００ｍｍ、背面の寸法を横８００ｍｍ、高さ１８００ｍｍ、天井面の寸法を横７５０ｍｍ、奥行３００ｍｍであって、各面の調音材の設置面積を座高以上で下部から４００ｍｍの高さにして、左右横と背面での調音材の占める面積割合を６０％で、天井面での割合を８０％にした調音機能付き木製衝立具を製作した。この調音機能付き木製衝立具を病院の診察時に高齢者の説明に使用したところ、難聴の高齢者が診断の結果を十分に理解された。減音率は４０ホン程度であった。
【符号の説明】
【００４０】１．調音材
２．障壁体パネル
３．折り畳み
４．キャスター
５．側板
６．左横面、
７．右横面
８．背面
９．天井面
１０．枠板
１１．蝶番
１２．木板
１３．椅子